【手続補正書】
【提出日】平成23年12月14日(2011.12.14)
【手続補正１】
【補正対象書類名】特許請求の範囲
【補正対象項目名】全文
【補正方法】変更
【補正の内容】
【特許請求の範囲】
【請求項１】
光源からの光を測定光と参照光とに分割し、前記測定光を走査光学系の走査を経て被検査物に導き、前記被検査物によって反射あるいは散乱された前記測定光による戻り光と前記参照光とを用いて、前記被検査物の断層画像を取得する光断層画像撮像装置であって、
プレスキャンにより前記被検査物の断層画像を取得するプレスキャン断層画像取得手段と、
前記プレスキャンにより取得した前記被検査物の断層画像における所定の撮像深さ範囲内で複数の合焦位置を設定する合焦位置設定手段と、
前記所定の撮像深さ範囲内で、該撮像深さ方向の少なくとも２つの基準位置を設定する基準位置設定手段と、
前記少なくとも２つの基準位置における合焦時の合焦条件を検出する合焦検出手段と、
前記合焦条件に基づいて前記複数の合焦位置で順次合焦が行われるように制御する制御手段と、
を有することを特徴とする光断層画像撮像装置。
【請求項２】
前記合焦条件に基づいて前記複数の合焦位置における合焦機構の駆動情報を取得する駆動情報取得手段を有し、
前記制御手段が、前記駆動情報に従って前記合焦機構を駆動制御することを特徴とする請求項１に記載の光断層画像撮像装置。
【請求項３】
前記合焦条件に基づいて前記複数の合焦位置から前記合焦機構の位置情報に変換する変換手段を有し、
前記駆動情報取得手段が、前記変換手段の変換結果に基づいて前記駆動情報を取得することを特徴とする請求項２に記載の光断層画像撮像装置。
【請求項４】
前記合焦条件が、前記被検査物の断層画像の輝度と精細度とのうち少なくとも一方により求められることを特徴とする請求項１乃至３のいずれか１項に記載の光断層画像撮像装置。
【請求項５】
横分解能モードと輝度モードとを含む複数のモードから、少なくとも１つのモードを選択するモード選択手段を有し、
前記合焦位置設定手段は、前記選択されたモードに基づいて前記複数の合焦位置を設定することを特徴とする請求項１乃至４のいずれか１項に記載の光断層撮像装置。
【請求項６】
光源からの光を測定光と参照光とに分割し、前記測定光を走査光学系の走査を経て被検査物に導き、前記被検査物によって反射あるいは散乱された前記測定光による戻り光と前記参照光とを用いて、前記被検査物の断層画像を取得する撮像方法であって、
プレスキャンにより前記被検査物の断層画像を取得する工程と、
前記プレスキャンにより取得した前記被検査物の断層画像における所定の撮像深さ範囲内で複数の合焦位置を設定する工程と、
前記所定の撮像深さ範囲内で、該撮像深さ方向の少なくとも２つの基準位置を設定する工程と、
前記少なくとも２つの基準位置での合焦時の合焦条件を検出する工程と、
前記合焦条件に基づいて前記複数の合焦位置で順次合焦する工程と、
を有することを特徴とする撮像方法。
【請求項７】
測定光を照射した被検査物からの戻り光と、該測定光に対応する参照光とを合波した光に基づいて該被検査物の断層画像を取得する撮像方法であって、
前記被検査物の断層画像における所定の範囲内の少なくとも２つの基準位置を決定する工程と、
前記少なくとも２つの基準位置における合焦条件に基づいて前記被検査物における前記所定の範囲内の複数の合焦位置で合焦する工程と、
を有することを特徴とする撮像方法。
【請求項８】
請求項６あるいは７に記載の撮像方法の各工程をコンピュータに実行させることを特徴とするプログラム。
【請求項９】
測定光を照射した被検査物からの戻り光と、該測定光に対応する参照光とを合波した光に基づいて該被検査物の断層画像を取得する撮像装置であって、
前記被検査物の断層画像における所定の範囲内の少なくとも２つの基準位置を決定する決定手段と、
前記少なくとも２つの基準位置における合焦条件に基づいて前記被検査物における前記所定の範囲内の複数の合焦位置で合焦するように合焦手段を制御する制御手段と、
を有することを特徴とする光断層画像撮像装置。
【請求項１０】
前記少なくとも２つの基準位置に対応する前記被検査物の深さ方向における前記合焦手段の合焦位置を前記合焦条件として検出する合焦検出手段を有することを特徴とする請求項９に記載の光断層画像撮像装置。
【請求項１１】
プレスキャンにより前記被検査物の断層画像を取得するプレスキャン断層画像取得手段と、
前記プレスキャンにより取得した前記被検査物の断層画像の前記所定の範囲内で該断層画像の深さ方向の前記複数の合焦位置を決定する合焦位置決定手段と、
を有することを特徴とする請求項９または請求項１０に記載の光断層画像撮像装置。
【請求項１２】
前記被検査物が被検眼であり、
前記合焦位置決定手段が、前記被検眼の収差に基づいて前記複数の合焦位置を決定することを特徴とする請求項１１に記載の光断層画像撮像装置。
【請求項１３】
前記被検査物が被検眼であり、
前記決定手段が、前記被検眼の断層画像における視神経繊維層と色素上皮層とを前記少なくとも２つ以上の基準位置として決定することを特徴とする請求項９乃至１２のいずれか１項に記載の光断層画像撮像装置。
【請求項１４】
測定光を照射した被検眼からの戻り光と、該測定光に対応する参照光とを合波した光に基づいて該被検眼の断層画像を取得する撮像装置であって、
前記被検眼の断層画像の所定の範囲内で複数の合焦位置を決定する決定手段と、
前記被検眼の収差に基づいて前記被検眼における前記複数の合焦位置で合焦するように合焦手段を制御する制御手段と、
を有することを特徴とする光断層画像撮像装置。
【手続補正２】
【補正対象書類名】明細書
【補正対象項目名】００１９
【補正方法】変更
【補正の内容】
【００１９】
本発明は、つぎのように構成した光断層画像撮像装置及び撮像方法を提供するものである。
本発明の光断層画像撮像装置は、光源からの光を測定光と参照光とに分割し、前記測定光を走査光学系の走査を経て被検査物に導き、前記被検査物によって反射あるいは散乱された前記測定光による戻り光と前記参照光とを用いて、前記被検査物の断層画像を取得する光断層画像撮像装置であって、
プレスキャンにより前記被検査物の断層画像を取得するプレスキャン断層画像取得手段と、
前記プレスキャンにより取得した前記被検査物の断層画像における所定の撮像深さ範囲内で複数の合焦位置を設定する合焦位置設定手段と、
前記所定の撮像深さ範囲内で、該撮像深さ方向の少なくとも２つの基準位置を設定する基準位置設定手段と、
前記少なくとも２つの基準位置における合焦時の合焦条件を検出する合焦検出手段と、
前記合焦条件に基づいて前記複数の合焦位置で順次合焦が行われるように制御する制御手段と、
を有することを特徴とする。
また、本発明の光断層画像撮像装置は、記合焦条件に基づいて前記複数の合焦位置における合焦機構の駆動情報を取得する駆動情報取得手段を有し、
前記制御手段が、前記駆動情報に従って前記合焦機構を駆動制御することを特徴とする。
また、本発明の光断層画像撮像装置は、前記合焦条件に基づいて前記複数の合焦位置から前記合焦機構の位置情報に変換する変換手段を有し、
前記駆動情報取得手段が、前記変換手段の変換結果に基づいて前記駆動情報を取得することを特徴とする。
また、本発明の光断層画像撮像装置は、前記合焦条件が、前記被検査物の断層画像の輝度と精細度とのうち少なくとも一方により求められることを特徴とする。また、本発明の光断層画像撮像装置は、横分解能モードと輝度モードとを含む複数のモードから、少なくとも１つのモードを選択するモード選択手段を有し、
前記合焦位置設定手段は、前記選択されたモードに基づいて前記複数の合焦位置を設定することを特徴とする。
また、本発明の撮像方法は、光源からの光を測定光と参照光とに分割し、前記測定光を走査光学系の走査を経て被検査物に導き、前記被検査物によって反射あるいは散乱された前記測定光による戻り光と前記参照光とを用いて、前記被検査物の断層画像を取得する撮像方法であって、
プレスキャンにより前記被検査物の断層画像を取得する工程と、
前記プレスキャンにより取得した前記被検査物の断層画像における所定の撮像深さ範囲内で複数の合焦位置を設定する工程と、
前記所定の撮像深さ範囲内で、該撮像深さ方向の少なくとも２つの基準位置を設定する工程と、
前記少なくとも２つの基準位置での合焦時の合焦条件を検出する工程と、
前記合焦条件に基づいて前記複数の合焦位置で順次合焦する工程と、
を有することを特徴とする。
また、本発明の撮像方法は、
測定光を照射した被検査物からの戻り光と、該測定光に対応する参照光とを合波した光に基づいて該被検査物の断層画像を取得する撮像方法であって、
前記被検査物の断層画像における所定の範囲内の少なくとも２つの基準位置を決定する工程と、
前記少なくとも２つの基準位置における合焦条件に基づいて前記被検査物における前記所定の範囲内の複数の合焦位置で合焦する工程と、
を有することを特徴とする。
また、本発明は、上記した撮像方法の各工程をコンピュータに実行させるプログラムを構成したことを特徴としている。
また、本発明の光断層画像撮像装置は、測定光を照射した被検査物からの戻り光と、該測定光に対応する参照光とを合波した光に基づいて該被検査物の断層画像を取得する撮像装置であって、
前記被検査物の断層画像における所定の範囲内の少なくとも２つの基準位置を決定する決定手段と、
前記少なくとも２つの基準位置における合焦条件に基づいて前記被検査物における前記所定の範囲内の複数の合焦位置で合焦するように合焦手段を制御する制御手段と、
を有することを特徴とする。
また、本発明の光断層画像撮像装置は、前記少なくとも２つの基準位置に対応する前記被検査物の深さ方向における前記合焦手段の合焦位置を前記合焦条件として検出する合焦検出手段を有することを特徴とする。
また、本発明の光断層画像撮像装置は、プレスキャンにより前記被検査物の断層画像を取得するプレスキャン断層画像取得手段と、
前記プレスキャンにより取得した前記被検査物の断層画像の前記所定の範囲内で該断層画像の深さ方向の前記複数の合焦位置を決定する合焦位置決定手段と、
を有することを特徴とする。
また、本発明の光断層画像撮像装置は、前記被検査物が被検眼であり、
前記合焦位置決定手段が、前記被検眼の収差に基づいて前記複数の合焦位置を決定することを特徴とする。
また、本発明の光断層画像撮像装置は、前記被検査物が被検眼であり、
前記決定手段が、前記被検眼の断層画像における視神経繊維層と色素上皮層とを前記少なくとも２つ以上の基準位置として決定することを特徴とする。
また、本発明の光断層画像撮像装置は、測定光を照射した被検眼からの戻り光と、該測定光に対応する参照光とを合波した光に基づいて該被検眼の断層画像を取得する撮像装置であって、
前記被検眼の断層画像の所定の範囲内で複数の合焦位置を決定する決定手段と、
前記被検眼の収差に基づいて前記被検眼における前記複数の合焦位置で合焦するように合焦手段を制御する制御手段と、
を有することを特徴とする。